(57)【要約】【課題】データを保護し、かつ記録容量を増やすことができる光記録媒体の欠陥領域管理方法を提供すること。【解決手段】ファイルシステムを用いて記録媒体上の欠陥領域を管理する方法で、前記記録媒体が、欠陥領域管理用の欠陥管理領域をもたないリードイン領域とリードアウト領域を有するとともに、前記欠陥領域用の所定の物理的スペア領域を一切もたないユーザ領域を有する記録媒体の前記欠陥領域を管理する方法であって、データ記録又は再生用のコマンドを出力するステップと、欠陥領域が発見されたどうか判定するステップと、前記欠陥領域の位置情報を前記ファイルシステム内に登録するステップとを含む。【選択図】図６
2006221800.tif 000002
【特許請求の範囲】
【請求項１】
リードイン領域とリードアウト領域を有するとともに、前記欠陥領域用の所定の物理的スペア領域を一切もたないユーザ領域を有し、前記リードイン領域及び／又は前記リードアウト領域が欠陥領域管理用の欠陥管理領域をもたないようになっている記録媒体の欠陥領域をファイルシステムを用いて管理する方法であって、
データ記録又は再生用のコマンドを出力するステップと、
欠陥領域が発見されたどうか判定するステップと、
前記欠陥領域の位置情報を前記ファイルシステム内に登録するステップと
を含むことを特徴とする方法。
【請求項２】
前記欠陥領域の位置がブロック単位に基づいて特定され、該欠陥領域の第１セクタを示す請求項１記載の方法。
【請求項３】
前記ファイルシステムはユニバーサル・ディスク・フォーマット（ＵＤＦ）仕様であり、前記欠陥領域の前記位置情報は前記ＵＤＦの非割当スペースリストに登録される請求項１記載の方法。
【請求項４】
前記判定ステップの結果として前記欠陥領域が発見されたときに、前記ファイルシステム内のファイルのファイル情報を更新するステップをさらに含む請求項１記載の方法。
【請求項５】
前記ファイル情報を、前記欠陥領域の前記位置情報とは別個に管理する請求項４記載の方法。
【請求項６】
前記欠陥領域が発見された場合、前記ユーザ領域の一部を無作為に選択し、前記欠陥領域置換用の交替領域とするステップをさらに含む請求項１記載の方法。
【請求項７】
前記交替領域の情報を、前記欠陥領域の前記位置情報と共に前記ファイルシステム内に登録するステップをさらに含む請求項６記載の方法。
【請求項８】
前記欠陥領域の前記位置情報を、ホストが特定する任意位置の前記ユーザ領域に登録する請求項１記載の方法。
【請求項９】
前記欠陥領域の前記位置情報を登録するステップにおいて、前記欠陥領域の前記位置情報は前記ユーザ領域内の非割当スペースリストに付加する請求項８記載の方法。
【請求項１０】
前記欠陥領域が前記ユーザ領域内の前記非割当スペースリスト内で発見された場合、前記方法はさらに、
前記非割当スペースリストを前記ユーザ領域内の別の領域へ書き込むステップと、
前記欠陥領域の位置情報を、前記別の領域に書き込まれた前記非割当スペースリストへ付加するステップとを含む請求項１記載の方法。
【請求項１１】
リードイン領域とリードアウト領域とを有するとともに、所定の物理的スペア領域を一切もたないユーザ領域を有し、前記リードイン領域及び／又は前記リードアウト領域が欠陥領域を管理する欠陥管理領域をもたないようになっている記録媒体に欠陥領域が存在するかどうか判定するステップと、
前記欠陥領域の位置情報をファイルシステム内に記憶させるステップと、
前記記録媒体に書き込むファイルのファイル情報を、前記ファイルシステム内に登録するステップで、前記ファイル情報は前記欠陥領域の前記位置情報を除外してある、前記登録するステップと
を含む、ことを特徴とする記録媒体上の欠陥領域の管理方法。
【請求項１２】
前記ファイル情報は前記記録媒体上に書き込む前記ファイルの長さを含み、該長さは前記欠陥領域の長さを除外してある請求項１１記載の方法。
【請求項１３】
リードイン領域とリードアウト領域であって、それらのリードイン及び／又はリードアウト領域が欠陥領域を管理する欠陥管理領域をもたないリードイン領域とリードアウト領域と、
欠陥領域用に所定の物理的スペア領域を一切もたないユーザ領域と、
ファイルシステム内に登録した欠陥領域の位置情報と
を含む、記録媒体。
【請求項１４】
前記ユーザ領域の一部を前記記録媒体上の欠陥領域のための交替領域として選択する請求項１３記載の記録媒体。
【請求項１５】
前記欠陥領域の前記位置情報を、ホストが特定する任意位置のユーザ領域へ登録する請求項１３記載の記録媒体。
【請求項１６】
前記ユーザ領域は前記欠陥領域の前記位置情報を付加する非割当スペースリストを含む請求項１５記載の記録媒体。
【請求項１７】
前記記録媒体上に書き込んだファイルのファイル情報で、前記欠陥領域の位置情報は除外した前記情報をさらに含む請求項１３記載の記録媒体。
【請求項１８】
前記欠陥領域が前記ユーザ領域の非割当スペースリスト領域内で発見された場合、前記ユーザ領域はさらに前記非割当スペースリストを書き込む別個の領域を含み、前記欠陥領域の前記位置情報を前記別個の領域へ書き込む非割当スペースリストへ付加する請求項１３記載の記録媒体。
【請求項１９】
ファイルシステム内で記録媒体の欠陥領域を管理する方法であって、
リードイン領域とリードアウト領域とを有するとともに、所定の物理的スペア領域を一切もたないユーザ領域を有し、前記リードイン領域及び／又は前記リードアウト領域が欠陥領域を管理する欠陥管理領域をもたないようになっている記録媒体内に欠陥領域が発見されたかどうか判定するステップと、
前記欠陥領域の位置情報を、前記ユーザデータ領域内に配置したファイシステム領域内に登録するステップと
を含むことを特徴とする方法。
【請求項２０】
前記欠陥領域の前記位置がブロック単位に基づいて特定される請求項１９記載の方法。
【請求項２１】
前記位置情報は前記欠陥領域の第１セクタを示す請求項２０記載の方法。
【請求項２２】
前記欠陥領域の前記位置がセクタ単位に基づいて特定される請求項１９記載の方法。
【請求項２３】
前記ファイルシステムはＵＤＦ（ユニバーサル・ディスク・フォーマット）仕様であり、前記欠陥領域の前記位置が前記ファイルシステム領域内の非割当スペースリスト内に登録される請求項１９記載の方法。
【請求項２４】
前記欠陥領域が前記ファイルシステム内の非割当スペースリスト内で発見された場合、
前記非割当スペースリストを前記ファイルシステム領域内の別の領域へ書き込むステップと、
前記欠陥領域の位置情報を前記別の領域に書き込んだ非割当スペースリストへ付加するステップとをさらに含む請求項２３記載の方法。
【請求項２５】
前記欠陥領域の登録時に前記ファイルシステム領域のファイル情報を更新するステップをさらに含む請求項１９記載の方法。
【請求項２６】
前記ファイル情報を、前記欠陥領域の前記位置情報とは別個に管理する請求項２５記載の方法。
【請求項２７】
前記ユーザデータ領域の一部を無作為に選択して前記欠陥領域用の交替領域とするステップをさらに含む請求項１９記載の方法。
【請求項２８】
前記ファイルシステム領域内に前記欠陥領域の前記位置情報と共に前記交替領域上の情報を登録するステップをさらに含む請求項１７記載の方法。
【請求項２９】
前記ユーザデータ領域内に登録されたファイルに関するファイル情報を記録又は更新するステップをさらに含む請求項１９記載の方法。
【請求項３０】
前記ファイル情報は前記ファイルの開始アドレスと長さとを含む請求項２９記載の方法。
【請求項３１】
前記ファイル情報は前記欠陥領域の前記位置情報を含まない請求項３０記載の方法。
【請求項３２】
前記ファイルを書き込む領域内に欠陥領域が存在する場合、前記ファイル情報を少なくとも二つのサブファイル情報に分割する請求項３１記載の方法。
【請求項３３】
ユーザデータ領域内の欠陥領域を管理するための欠陥管理領域を含まないリードイン領域と、
前記ユーザデータ領域内の欠陥領域を管理するための欠陥管理領域を含まないリードアウト領域とを有し、
前記ユーザデータ領域が、前記欠陥領域の位置情報を含むファイルシステム領域を有することを特徴とする記録媒体。
【請求項３４】
前記欠陥領域の前記位置がブロック単位に基づいて特定される請求項３３記載の記録媒体。
【請求項３５】
前記位置情報は前記欠陥領域の第１セクタを示す請求項３４記載の記録媒体。
【請求項３６】
前記欠陥領域の前記位置がセクタ単位に基づいて特定される請求項３５記載の記録媒体。
【請求項３７】
前記ファイルシステム領域のファイルシステムは、ＵＤＦ仕様であり、前記欠陥領域の前記位置は前記ファイルシステム領域内の非割当スペースリスト内に登録される請求項３３記載の記録媒体。
【請求項３８】
前記ファイルシステム内の非割当スペースリスト内に前記欠陥領域が発見された場合、前記非割当スペースリストを前記ファイルシステム領域内の別の領域に書き込み、該別の領域に書き込んだ前記非割当スペースリストへ前記欠陥領域の前記位置情報を付加する請求項３７記載の記録媒体。
【請求項３９】
前記欠陥領域を登録するときは、前記ファイルシステム領域の更新ファイル情報をさらに含む請求項３３記載の記録媒体。
【請求項４０】
前記ファイル情報は前記欠陥領域の前記位置情報とは別個に管理する請求項３９記載の記録媒体。
【請求項４１】
前記欠陥領域が発見された場合に、該欠陥領域を置き換える交替領域上の情報が、該欠陥領域の前記位置情報と共に前記ファイルシステム内に登録されることを特徴とする請求項３３記載の記録媒体。
【請求項４２】
前記ユーザデータ領域内に登録するファイルに関し、そのファイルの開始アドレスと長さとを含むファイル情報をさらに含む請求項３３記載の記録媒体。
【請求項４３】
前記ファイル情報は前記欠陥領域の前記位置情報を含まない請求項４２記載の記録媒体。
【請求項４４】
前記ファイルを書き込んだ領域内に前記欠陥領域が存在する場合、前記ファイル情報を少なくとも二つのサブファイル情報に分割する請求項４３記載の記録媒体。
【請求項４５】
前記欠陥領域が前記ユーザデータ領域の非割当スペースリスト領域内に発見された場合、前記ユーザデータ領域はさらに前記非割当スペースリストを書き込む別個の領域を含み、前記欠陥領域の前記位置情報を、前記別個の領域へ書き込む前記非割当スペースリストに付加する請求項３３記載の記録媒体。
【請求項４６】
ファイルシステム内で記録媒体上の欠陥領域を管理する方法であって、
（ａ）前記記録媒体上に欠陥領域が存在するかどうか判定するステップであって、前記記録媒体がユーザ領域とリードイン領域とリードアウト領域とを有し、前記リードイン及び／又はリードアウト領域が欠陥管理領域を一切もたない前記ステップと、
（ｂ）前記欠陥領域の位置を管理する管理情報を前記ファイルシステム内の管理領域へ記憶させるステップと、
（ｃ）前記ユーザデータ領域に登録するファイルに関するファイル情報を記憶又は更新するステップと
を含むことを特徴とする方法。
【請求項４７】
前記ステップ（ｂ）は、前記ファイルシステムの非割当スペースリストに前記管理情報を記憶させる請求項４６記載の方法。
【請求項４８】
前記欠陥領域の前記位置を、ブロック単位に基づいて特定する請求項４６記載の方法。
【請求項４９】
前記欠陥領域の前記位置は該欠陥領域の第１セクタで特定される請求項４８記載の方法。
【請求項５０】
前記ファイル情報は前記ファイルの開始アドレスと長さとを含む請求項４６記載の方法。
【請求項５１】
前記ファイル情報は前記欠陥領域の位置情報を含まない請求項５０記載の方法。
【請求項５２】
前記ファイルを書き込む領域内に前記欠陥領域が存在する場合、前記ファイル情報を少なくとも二つのサブファイル情報へ分割する請求項５１記載の方法。
【発明の詳細な説明】
【技術分野】
【０００１】
本発明は書換可能型光記録媒体システムに関し、特に欠陥領域を管理することのできる光記録媒体の欠陥領域管理方法に関する。
【背景技術】
【０００２】
一般的に、光記録媒体は反復して記録ができるか否かによって再生専用のロム（ＲＯＭ）型と、追記型ワーム（ＷＯＲＭ）型および繰り返して記録可能な書換可能型などの三つの種類に分かれる。
ここで、ロム型光記録媒体はコンパクトディスクロム（ＣＤ−ＲＯＭ）とディジタル多機能ディスクロム（Digital Versatile Disc Read Only Memory;ＤＶＤ−ＲＯＭ)などがあり、ワーム型光記録媒体は１回記録可能なコンパクトディス
ク（ＣＤ−Ｒ）と１回記録可能なディジタル多機能ディスク(Recordable Digital Versatile Disc;ＤＶＤ−Ｒ)などがある。
また、自由に繰り返して記録可能な書換可能型ディスクとしては書換可能型コンパクトディス（ＣＤ−ＲＭ）と書換可能型ディジタル多機能ディスク(Rewritable Digital Versatile Disc; ＤＶＤ−ＲＡＭ, ＤＶＤ-ＲＷ)などがある。
【０００３】
書換可能型光記録媒体の場合、情報の記録／再生作業が繰り返して行われる。そのため、光記録媒体に情報記録のために形成された記録層を構成している混合物の混合比率が初期の混合比率と異なるようになり、特性が悪くなり、情報の記録／再生時にエラーが発生する。
【０００４】
このような現象を劣化というが、この劣化した領域は、光記録媒体のフォーマット、記録、再生命令の実行時に欠陥領域として現れる。
また、書換可能型光記録媒体の欠陥領域は、劣化現象以外にも表面のキズ、塵などの微塵、製作時のエラーなどによって発生することもある。
いずれにせよ発生した欠陥領域にデータを記録／再生するのを防止する必要があり、そのため欠陥領域の管理が必要となった。
【０００５】
そのために一般的なディスクは、図１に示すように、リードイン領域とリードアウト領域とに欠陥管理領域(以下ＤＭＡという）を備え、光ディスクの欠陥領
域を管理している。また、データ領域はゾーン別に分けて管理するが、各ゾーンはデータが記録されるユーザー領域と、ユーザー領域に欠陥が発生したときに利用するためのスペア領域とに分かれている。
【０００６】
通常、一つのディスク（例えば、ＤＶＤ−ＲＡＭ）には四つのＤＭＡが存在するが、二つのＤＭＡはリードイン領域に、残りの二つのＤＭＡはリードアウト領域に存在する。欠陥領域の管理は重要なので、データ保護のために四つのＤＭＡには同一内容が繰り返して記録されている。
ここで、各ＤＭＡは二つのブロックからなり、全体で３２セクタからなる。すなわち、一つのブロックは１６セクタからなる。
ＤＭＡは初期欠陥データ記憶部を意味するＰＤＬと二次欠陥データ記憶部を意味するＳＤＬとを含む。
【０００７】
一般的にＰＤＬはディスク製作過程で生じた欠陥やディスクをフォーマットするとき、すなわち、初期フォーマット時と再フォーマット時に確認される全ての欠陥セクタのエントリを記憶する。また、ＳＤＬはブロック単位でリストされるが、フォーマット後に発生する欠陥領域やフォーマットの間にＰＤＬに記憶できなかった欠陥領域のエントリを記憶する。
【０００８】
データ領域内の欠陥領域（すなわち、欠陥セクタまたは欠陥ブロック）は正常な領域に交替されるが、交替方法としては、普通スリップ交替とリニア交替がある。
スリップ交替方法は欠陥領域がＰＤＬに登録されている場合に適用される方法で、図２ａに示すように、データが記録されるユーザー領域に、ＰＤＬにリストされた欠陥セクタが存在すると、その欠陥セクタを飛ばし代わりにその欠陥セクタの次に来る正常セクタにデータを記録する。
また、リニア交替方法は欠陥領域がＳＤＬに登録されている場合に適用される方法で、図２ｂに示すように、ユーザー領域やスペア領域に、ＳＤＬにリストされた欠陥ブロックが存在すると、スペア領域に割り当てられたブロック単位の交替領域に交替されデータを記録する。
【０００９】
図３は一般的な光ディスク記録／再生装置のうち記録関連部分の一例を示すブロック図である。光ディスクにデータを記録し再生するための光ピックアップ、光ピックアップを制御して光ピックアップの対物レンズと光ディスクとの距離を一定に維持させ、一定のトラックを追従するサーボ部、入力されるデータを処理して光ピックアップに転送するデータ処理部、外部ホストとデータをやり取りするためのインターフェース、これを制御するマイクロコンピュータなどで構成されている。光ディスク記録／再生装置のインターフェースにはホストが連結されて相互間に命令語とデータが伝達されるように構成される。ここで、ホストは一種のＰＣ（Personal Computer)であって、光ディスク記録装置がＰＣの支援を受ける場合である。
【００１０】
このように構成される図３で記録するデータが発生されると、ホストは記録命令を光ディスク記録／再生装置に送る。その記録命令には記録位置を指定するＬＢＡ（Logical Block Address)とデータの大きさを知らせる転送長さとを含む。
次いで、ホストは記録するデータを光ディスク記録／再生装置に送る。
光ディスク記録／再生装置は、ホストから光ディスクに記録するデータが転送されると、これを指定されたＬＢＡから記録し始める。このとき、光ディスク記録／再生装置は光ディスクの欠陥を表示する情報であるＰＤＬとＳＤＬを利用して欠陥のある領域にはデータを記録しない。
【００１１】
すなわち、ＰＤＬに記録された物理的セクタは飛ばしながら記録し、ＳＤＬに記録された物理的ブロック（ｂｌｋＡ、ｂｌｋＢ）は図４のように、スペア領域に割り当てられた交替ブロック（ｓｂｌｋＥ、ｓｂｌｋＦ）に交替しながら記録する。そして、欠陥ブロック（ｂｌｋＣ）のデータを一旦交替ブロック（ｂｌｋＧ）に交替して記録したが、後でその交替ブロック（ｂｌｋＧ）でも再び欠陥が発生すると、新たな交替ブロック（ｂｌｋＨ）が割り当てられ欠陥ブロック（ｂｌｋＣ）のデータはスペア領域の新たな交替ブロック（ｂｌｋＨ）に交替して記録する。
【００１２】
また、記録や再生時にＳＤＬに登録されてない欠陥ブロックやエラーの可能性の高いブロックがあれば、データの保護のためにそのブロックを欠陥ブロックと見なし、スペア領域の交替ブロックを探して欠陥ブロックのデータを再記録した後、その欠陥ブロックの位置情報をＳＤＬエントリに登録する。
このように、欠陥が発生したブロックだけでなく、エラーの可能性の高いブロック、例えばエラーの訂正の可能なブロックに対しても交替してデータを保護する。
【００１３】
しかし、ＤＶＤ−ＲＡＭは、データ保護のためにディスク製造過程で割り当てられたスペア領域によって、当然その分記録容量が減る。また、スペア領域はディスクの欠陥状態に関係なく予め定められており、スペア領域を全て利用することもあるが、一般的には全部は使わないので、ディスク管理面でも非効率的である。
【００１４】
そして、スペア領域からさらに欠陥セクタが多数発生すると、交替できなくなり、これによって欠陥領域の管理もできなくなる。この場合にシステムはディスクを不良と判断するのでそれ以上そのディスクを使用することができない。また、書換可能型光記録媒体の一つであるＣＤ−ＲＷは致命的な欠陥が発生したときにのみ欠陥セクタの管理を行い、エラー訂正の可能なブロックに対しては管理をしないので、データの保護が十分とはいえない。
【発明の開示】
【発明が解決しようとする課題】
【００１５】
本発明は前記のような問題点を解決するためになされたもので、その目的はデータを保護し、かつ記録容量を増やすことができる光記録媒体の欠陥領域管理方法を提供することにある。
【００１６】
本発明の他の目的はデータの記録／再生中に発見される欠陥領域の位置情報をファイル情報と別に記憶して管理する光記録媒体の欠陥領域管理方法を提供することにある。
【課題を解決するための手段】
【００１７】
上記目的を達成する本発明の光記録媒体の欠陥領域管理方法は、光記録媒体上にスペア領域を割り当てずに、欠陥領域に対してはファイルシステムで管理するようにすることを特徴とするものである。
より具体的には、欠陥領域を発見すると欠陥情報をホストに戻すステップと、ホストの制御により欠陥領域のデータを他の領域に交替して記録するステップと、欠陥領域の位置情報を記録するステップと、欠陥領域の位置情報を基準にファイル構成に関する情報を訂正するステップとを含んでいる。
【００１８】
データを交替して記録ステップは欠陥領域のデータをデータ領域内の他の領域に記録することを特徴とする。
【００１９】
欠陥領域の位置情報記録ステップはデータ領域の特定位置に欠陥領域の位置情報をブロック単位で記録することを特徴とする。
【００２０】
欠陥領域の位置情報記録ステップはデータ領域の非割当スペースリストに欠陥領域の位置情報をブロック単位で記録することを特徴とする。
【００２１】
ファイル情報を訂正するステップは、一つのファイルに対して作成されるファイル構成（ＩＣＢ）が戻される欠陥領域の情報によって分離されて表示され、その欠陥領域がＩＣＢに記録されないことを特徴とする。
【００２２】
ファイル情報がＵＤＦファイルシステムで管理される場合、アンカポイントの保護のために多数のセクタからなるスペア領域を割り当てることを特徴とする。
【００２３】
欠陥領域の位置情報はフォーマッティング時にセクタ単位で管理されることを特徴とする。
【００２４】
本発明の光記録媒体の欠陥領域管理方法は、データを記録するときに欠陥領域を発見すると制御信号を終了し、その欠陥に関する情報をホストに戻すステップと、欠陥に関する情報が戻された後、ホストから再び出力される制御信号によりデータを記録するステップと、欠陥領域の位置情報をデータ領域の特定位置に記録するステップと、欠陥領域の位置情報を基準にファイル構成に関する情報を光記録媒体に記録するステップとを含んでいる。
【００２５】
制御信号は、欠陥ブロックの位置情報とファイル情報とを利用して、ファイル情報に登録されている領域だけでなく、データ領域の特定位置にリストされている欠陥領域にもデータが記録されないように発生することを特徴とする。
【００２６】
ファイル情報記録ステップは、一つのファイルに対して作成されるファイル構成（ＩＣＢ）が戻される欠陥領域の情報によって分離されて表示され、欠陥領域がそのＩＣＢに記録されないことを特徴とする。
【発明の効果】
【００２７】
上述した本発明の光記録媒体の欠陥領域管理方法は次のような効果がある。
書換可能型光記録媒体でスペア領域を取り除いたので、光記録媒体に欠陥が発生しないと初期状態の記録容量全体を維持することができる。欠陥が発生しときにのみデータ領域内で他のブロックに交替を行った後、その欠陥領域をファイルシステムで管理するので、スペア領域によって記録容量を最初から減らすということをしていないので、ディスクの使用効率を高くすることができる。すなわち、リニア交替のような効果によってデータを保護しながら、記録容量を増やすことができる。
次に、使用可能な交替ブロックの大きさに対する制限がないので、欠陥セクタの数に関係なくデータを記録でき、ディスクの使用期間を増やすことができる。
さらに、欠陥ブロックの位置情報はファイルシステムのファイル情報と別に管理されるので、ファイル情報を無くしても欠陥領域の位置情報は残り、データの記録または再生時に前記欠陥ブロックにデータを書いたり読むような間違いが発生しない。
【発明を実施するための最良の形態】
【００２８】
以下、本発明の好ましい実施形態を添付の図面に基づいて詳細に説明する。
図５は本発明による書換可能型光記録媒体の構造を示す図であって、データ領域にはスペア領域が割り当てられておらず、データを記録できる領域だけが存在する。このデータ領域はゾーン別に分けても管理できる。また、スペア領域がないのでリードイン領域とリードアウト領域のＤＭＡにＳＤＬは必要なくなる。
【００２９】
本発明はスペア領域によって記録容量が最初から減ることを防止するため、光ディスク上でスペア領域を取り除いた後、欠陥が発生したときにのみデータ領域内で交替を行い、欠陥領域はファイルシステムで管理するようにした。
【００３０】
図６は本発明による再生過程で光記録媒体の欠陥領域管理方法を行うための流れ図である。
すなわち、使用者が再生を選択すると制御装置としてのホストはファイルシステムのファイル情報を見て、再生命令を生成し、その命令を光ディスク記録／再生装置に転送する（ステップ６０１）。再生命令はスタート位置を指定するＬＢＡとデータの大きさを知らせる転送長さとを含む。もし、ファイル１を再生するとき、ファイル１のファイルシステムが図８ａのようであれば、ホストはＡ位置からＮセクタの間のデータを読むように再生命令を出す。
すると、光ディスク記録／再生装置はホストが指定する位置、すなわちＡからＮセクタの間のデータを読み込む（ステップ６０２）。その後、Ｎセクタの間読み込んだデータをホストに転送した後（ステップ６０３）、次いで命令実行リポートをホストに転送する（ステップ６０４）。
このとき、ホストがデータの再生命令を発行した間に、すなわち、ＡからＢの間の領域内で欠陥ブロックが発見されると、光ディスク記録／再生装置は命令実行リポートにその欠陥に関する情報も一緒に送付する。欠陥ブロックはまだ登録なれていない欠陥ブロックであって、致命的な欠陥ブロックだけでなく、欠陥が発生したがエラーの訂正の可能な欠陥ブロックを含む。
【００３１】
一方、ホストは命令実行リポートに欠陥領域の情報が含まれれているかどうかを判別する（ステップ６０５）。命令実行リポートが異常がないこと、すなわち正常であることを知らせる情報であれば、Ｎセクタの間に欠陥ブロックがなかったことを意味する。反対に、命令実行リポートが正常であることを知らせなければ命令実行リポートには欠陥領域の情報が含まれていることを意味する。
したがって、ステップ６０５で命令実行リポートに欠陥領域の情報が含まれていると判別されると、ホストは記録命令とともに前記欠陥ブロックのデータを光ディスク記録／再生装置に転送し（ステップ６０６）、光ディスク記録／再生装置は記録命令が指定する位置に欠陥ブロックのデータを記録する（ステップ６０７）。記録命令が指定する位置はデータ領域の任意の位置である。これは本発明ではスペア領域を利用しないからである。例えば、図７に示すように、Ｎセクタ内のＥ位置からＬセクタの間に欠陥が発生すると、Ｌセクタの含まれるブロックで再生されたデータは、ホストの制御によりＣ位置からＬセクタの間に記録される。
ここで、記録／再生中に発見される欠陥はＥＣＣブロック単位で処理されるので、ＬセクタのＬは１６の倍数となる。
【００３２】
以後の再記録または再生時にその欠陥ブロックにデータを記録したり、その欠陥ブロックのデータを読まないようにするために、欠陥ブロックの位置情報をデータ領域内の特定位置に記録する（ステップ６０８）。
【００３３】
もし、ファイル管理がＵＤＦ（Universal Disc Format)ファイルシステムで行われば、ステップ６０８で欠陥ブロックの位置情報はデータ領域内の非割当スペースリスト（Non-alloctable space list)に記録できる。このとき、書換可能型光ディスクは欠陥が発見されるとそのブロックを全てエラーと見なすので、非割当スペースリストに記録される欠陥ブロックの位置情報はブロック単位である。すなわち、欠陥ブロックの位置情報はその欠陥ブロックの一番目のセクタの番号のみを記録すればよく、この場合に光ディスク記録／再生装置はセクタ番号が指定するセクタを含む以後の１５個のセクタを欠陥として見なす。
【００３４】
もし、非割当スペースリストがあるブロックで欠陥が発生すると、前記のような過程により非割当スペースリストはデータ領域内の他のブロックに交替されて記録される。このときにも、欠陥ブロックの位置情報が再び非割当スペースリストに付加される。
【００３５】
このように、非割当スペースリストはデータ領域内でその位置が変わる。このような非割当スペースリストの位置はアンカポイント（anchor point）を利用して探すことができる。アンカポイントは論理的セクタ番号（ＬＳＮ）であって、２５６番地とデータ領域の一番最後のセクタに重複されて記録されている。この部分には欠陥が発生しても他の領域に交替できない。
【００３６】
ところが、ＵＤＦファイルシステムではアンカポイントにより全てのファイルとディレクトリが管理されている。したがって、アンカポイントに欠陥が発生すると、そのディスクはそれ以上使えない。
本発明ではアンカポイントを保護するためにデータ領域に多少のスペア領域（例えば、１０セクタ内外）を割り当て、そのスペア領域にアンカポイントを重複して記録することができるが、スペア領域はバーストエラーなどに備えて、様々な箇所（例えば、ゾーン別）に分散させて割り当てることもできる。
【００３７】
また、前記のように欠陥ブロックのデータをデータ領域内の他のブロックに交替して記録するとファイルの情報も変わるので、ファイルシステムも訂正する（ステップ６０９）。
【００３８】
もし、ファイル管理がＵＤＦファイルシステムで行われ、図７のように交替が行われたら、ファイルスタート位置やファイルの大きさなどを表示するＩＣＢ（Information Control Block)は図８ｂのように訂正される。すなわち、再生命令を行うときのファイル１は、図８ａのように、ＡからＮセクタの間に記録されているとなっているが、欠陥ブロックによってファイル１は、図８ｂのように、ＡからＮ１セクタの間、ＣからＬセクタの間、ＦからＮ２セクタの間に記録されていることが分かる。したがって、次の再生時にはファイル１に対しては再生命令が三回行われる。すなわち、ＡからＮ１セクタの間を読み、再びＣからＬセクタの間を読み、再びＦからＮ２セクタの間を読むように命令が実行される。
一方、記録するデータが発生すると、ホストは前記非割当スペースリストにある欠陥ブロックの位置情報とＩＣＢを見て記録命令を発行する。
【００３９】
図９は記録過程で光記録媒体の欠陥領域管理方法を行うための本発明実施形態の流れ図である。
すなわち、記録するデータが発生すると、ホストは記録命令とともに記録するデータを光ディスク記録／再生装置に転送する（ステップ９０１）。このとき、ホストはＩＣＢと非割当スペースリストにある欠陥領域の位置情報を利用してＩＣＢに登録されている領域のみならず、非割当スペースリストに登録されている欠陥ブロックにもデータが記録されないように記録命令を下す。
光ディスク記録／再生装置は記録命令が指定する位置から入力データを記録しながら（ステップ９０２）、欠陥領域があるかどうかをチェックする（ステップ９０３）。ここで、記録命令は、既に非割当スペースリストに登録されている欠陥領域にはデータが記録されないように発生されるので、ここでの欠陥領域とは新たに発見される欠陥領域であって、致命的な欠陥ブロックだけでなく、欠陥が発生してもエラーの訂正の可能な欠陥ブロックをも含む。
【００４０】
ステップ９０３で欠陥領域が発見されないと、完了されるまで続けてデータを記録し、欠陥領域が発見されたと判別されると、記録命令を強制に終了した後、欠陥領域の情報をホストに戻す（ステップ９０４）。
【００４１】
ホストは欠陥領域の情報が送られてくると、新たな記録命令とデータを再び光ディスク記録／再生装置に転送する（ステップ９０５）。この記録命令は新たに生じた欠陥領域にデータが記録されないように発生する。
たとえば、最初の記録命令がＡからＮセクタの間のデータを記録することであったが、データ書込み中にＥ位置で欠陥が発見されると、その位置で記録命令が強制に終了され、欠陥ブロックの情報がホストに戻され、ホストは新たに記録命令を下す。
このとき、Ｆ位置からデータを記録するように命令を行う。
【００４２】
したがって、光ディスク記録／再生装置は記録命令が指定するＦ位置からホストが転送する新たなデータを記録する（ステップ９０６）。このときにも光ディスク記録／再生装置は記録命令が指定する位置に入力データを記録しながら、欠陥領域があるかをチェックする（ステップ９０７）。
【００４３】
もし、新たな欠陥領域が再度発見されると、ステップ９０４に戻って前記の過程を繰り返し、そうでなければ記録が完了されるまでに記録命令が指定する位置に続けてデータを記録する（ステップ９０８）。
【００４４】
ステップ９０８で記録が完了されたと判別されると、ホストの制御によって光ディスク記録／再生装置は欠陥領域の位置情報をデータ領域の特定位置に記録する（ステップ９０９）。ここで、欠陥領域の位置情報は、データ記録命令が終了するたびに記録することも、データの記録が完了した後一度に記録することもできる。ファイルシステムがＵＤＦで構成されると欠陥領域の位置情報は非割当スペースリストに記録される。
【００４５】
そして、記録命令によってデータが図７のように記録されると、ファイル情報は図８ｂのようにＩＣＢに作成される（ステップ９１０）。図８ｂはＦ位置からＮ２セクタの間のデータを記録する命令が、Ｃ位置からＬセクタの間のデータを記録する命令より先に行われた場合である。
このように、ＩＣＢでファイルの大きさを示すセクタの数が欠陥ブロックによって分離され記録される。
また、欠陥領域の位置情報はファイル情報と別途に管理されるので、図８ｂのようなファイル情報を無くしても欠陥領域の位置情報は残っており、データの記録または再生時に欠陥ブロックにデータを書いたり読むような間違いを発生しない。
【００４６】
一方、前記非割当スペースリストの欠陥ブロックの位置情報はフォーマッティング方法によりセクタ単位で再び記憶されることができる。もし、ＤＭＡにＰＤＬがあれば、非割当スペースリストの欠陥ブロックのうち実際欠陥が発生したセクタのみＰＤＬに移され、そのブロックの位置情報は非割当スペースリストから削除される。
【００４７】
もし、ＤＭＡがない場合には、非割当スペースリストに実際に欠陥が発生した欠陥セクタの情報のみを記録し、その欠陥ブロックの位置情報を削除できる。
この際には、欠陥ブロックの位置情報と欠陥セクタの位置情報とが互いに区別されるように記録される。これのためには、１ビットを利用して表示することもできる。
【図面の簡単な説明】
【００４８】
【図１】一般的な光ディスクの構造を示す図である。
【図２】一般的なスリップ交替方法を示す図（ａ）と、一般的なリニア交替方法を示す図（ｂ）である。
【図３】一般的な光ディスク記録／再生装置の構成ブロック図である。
【図４】一般的な光ディスクでＳＤＬ使用時リニア交替方法でデータを記録する状態を示す図である。
【図５】本発明実施形態による光ディスクの構造を示す図である。
【図６】本発明実施形態による再生過程で光記録媒体の欠陥領域管理方法を行うための流れ図である。
【図７】本発明実施形態による光ディスクで欠陥領域のデータを他の領域に交替して記録する状態を示す図である。
【図８】本発明実施形態による光ディスクで欠陥が発生しなかった場合のファイル１に対するＵＤＦファイルシステムを概念的に示す図（ａ）と、光ディスクで欠陥が発生した場合のファイルに対するＵＤＦファイルシステムを概念的に示す図（ｂ）である。
【図９】本発明実施形態による記録過程で光記録媒体の欠陥領域管理方法を行うための流れ図である。
【図１】
2006221800.tif 000003
【図２】
2006221800.tif 000004
【図３】
2006221800.tif 000005
【図４】
2006221800.tif 000006
【図５】
2006221800.tif 000007
【図６】
2006221800.tif 000008
【図７】
2006221800.tif 000009
【図８】
2006221800.tif 000010
【図９】
2006221800.tif 000011